(57)【特許請求の範囲】
【請求項１】
複数の入力装置から入力された各鑑定結果に基づいて合議判定を行うデータ処理装置において、
合議判定された判定結果を識別データに対応付けて順次記憶する判定結果記憶手段と、
この判定結果記憶手段の内容を訂正する際に、訂正すべき判定結果に対応付けられている前記識別データを入力指定する指定手段と、
複数前の判定結果を遡って訂正するためにその鑑定結果が再入力された際に、前記指定手段によって指定されている識別データに対応する判定結果を再入力された鑑定結果に基づいて訂正する第１の訂正手段と、
次の判定結果を訂正するためにその鑑定結果が再入力された際に、前記指定手段によって指定された識別データを更新すると共に、更新された識別データに対応する判定結果を再入力された鑑定結果に基づいて訂正し、以降、鑑定結果が再入力される毎に、識別データを順次更新しながら更新された識別データに対応する判定結果を再入力された鑑定結果に基づいて順次訂正する第２の訂正手段とを具備したことを特徴とするデータ処理装置。
【請求項２】
前記指定手段によって識別データが指定された場合に、それ以降に続く各識別データに対応する判定結果をそれぞれ訂正候補として識別表示するようにしたことを特徴とする請求項（１）記載のデータ処理装置。
【発明の詳細な説明】
【０００１】
【発明の属する技術分野】
この発明は、複数の入力装置から入力された各鑑定結果に基づいて合議判定を行う鑑定合議システム等のデータ処理装置に関する。
【０００２】
【従来の技術】
一般に、鑑定合議システムにおいては、農産物や海産物等の等級を複数の鑑定官が鑑定して合議判定するもので、農産物や海産物等の鑑定対象物（以下、包と称する）がベルトコンベヤによって搬送されて来ると、上席、次席の鑑定官はその等級を鑑定し、鑑定結果をそれぞれ入力する。ここで、上席、次席の鑑定結果に基づいて合議判定が行われ、鑑定結果が一致すれば、合議が独立したものとして等級が決定されるが、不一致ならば、再度の鑑定を行い、合議に達するまで鑑定を繰り返す。
このようにして合議判定された判定結果（等級）に対して立合人（売り主と買い主との間において中立的な立場の人）から異議の申立があった場合には、再度の鑑定を行い、当該判定結果を訂正するようにしている。この場合、１包前の判定結果を訂正する直前訂正か、任意に指定した１包分の判定結果を訂正する指定訂正かの何れかによって行っていた。
【０００３】
【発明が解決しようとする課題】
ところで、例えば、いずれかの鑑定官が１包分の鑑定を忘れたまま以降に続く各包の鑑定を進めたり、同じ包を重複して鑑定したまま以降に続く各包の鑑定を進めた場合には、両鑑定官の間で鑑定結果に“ズレ”が生じる。また立合人から異議の申立があるということは、申立があった以降の包に対しても鑑定基準が違っている可能性がある。
このような場合、従来においては、包を１つ１つ指定してその判定結果を訂正するようにしているが、１包ずつ指定しながら訂正操作を行うことは極めて面倒であると共に多大な時間を要し、更に訂正忘れ等のおそれもあった。
この発明の課題は、既に合議判定された各判定結果を複数前に遡ってそれ以降の全て訂正する場合に、複数前の判定結果に対応付けられている連番等の識別データを単に入力指定しておけば、それ以降の識別データを１つずつ入力指定しなくても、以降の全てを訂正できるようにすることである。
【０００４】
【課題を解決するための手段】
この発明の手段は次の通りである。
複数の入力装置から入力された各鑑定結果に基づいて合議判定を行う鑑定合議システムや鑑定合議機等のデータ処理装置において、
（１）、判定結果記憶手段は合議判定された判定結果を識別データに対応付けて順次記憶する。なお、識別データとして例えば、連番等である。
（２）、指定手段はこの判定結果記憶手段の内容を訂正する際に、訂正すべき判定結果に対応付けられている前記識別データを入力指定する。
（３）、第１の訂正手段は複数前の判定結果を遡って訂正するためにその鑑定結果が再入力された際に、前記指定手段によって指定されている識別データに対応する判定結果を再入力された鑑定結果に基づいて訂正する。
（４）、第２の訂正手段は次の判定結果を訂正するためにその鑑定結果が再入力された際に、前記指定手段によって指定された識別データを更新すると共に、更新された識別データに対応する判定結果を再入力された鑑定結果に基づいて訂正し、以降、鑑定結果が再入力される毎に、識別データを順次更新しながら更新された識別データに対応する判定結果を再入力された鑑定結果に基づいて順次訂正する。
なお、前記指定手段によって識別データが指定された場合に、それ以降に続く各識別データに対応する判定結果をそれぞれ訂正候補として識別表示するようにしてもよい。
いま、複数の鑑定官は農産物や海産物等の鑑定対象物に対して順次鑑定を行い、その鑑定結果をそれぞれ入力してゆく。すると、入力された鑑定結果に基づいて合議判定が行われ、その判定結果は連番等の識別データに対応付けて判定結果記憶手段に順次記憶される。ここで、いずれかの鑑定官の入力ミス等によって連番等の識別データと判定結果とが“ズレ”てしまった場合には、判定結果を訂正するために再度の鑑定を行い、鑑定結果を再入力する。その際、“ズレ”が生じた最初の包の識別データを入力指定すると、第１の訂正手段は指定された識別データに対応する判定結果を再入力された鑑定結果に基づいて訂正する。そして、第２の訂正手段は次の判定結果を訂正するためにその鑑定結果が再入力された際に、前記指定手段によって指定された識別データを更新すると共に、更新された識別データに対応する判定結果を再入力された鑑定結果に基づいて訂正し、以降、鑑定結果が再入力される毎に、識別データを順次更新しながら更新された識別データに対応する判定結果を再入力された鑑定結果に基づいて順次訂正する。
したがって、既に合議判定された各判定結果を複数前に遡ってそれ以降の全て訂正する場合に、複数前の判定結果に対応付けられている連番等の識別データを単に入力指定しておけば、それ以降の識別データを１つずつ入力指定しなくても、以降の全てを訂正することができる。
【０００５】
【発明の実施の形態】
以下、図１〜図７を参照してこの発明の一実施形態について説明する。
図１は鑑定合議システムを示したシステム構成図である。なお、鑑定合議システムとして“葉たばこ買入れシステム”を例に挙げて以下説明する。
ベルトコンベヤ１は鑑定対象物（包）Ａ、Ｂ、……Ｆを順次搬送するもので、上席、次席鑑定官は順次搬送されて来る包を鑑定し、対応する上席鑑定合議機２、次席鑑定合議機３からその鑑定結果を入力する。この場合、葉たばこの鑑定結果として“葉分け”、“タイプ”を入力する。なお、葉分けとして“上葉”、“中葉”、“下葉”等を入力し、タイプとして品質“Ａ”、“Ｂ”等を入力する。
【０００６】
上席鑑定合議機２（または次席鑑定合議機３）は入力された複数の鑑定結果に基づいて合議判定を行い、複数の鑑定結果が一致すれば、合議が成立したものとしてその判定結果をホストコンピュータ４に送信する。ホストコンピュータ４には上席鑑定合議機２、次席鑑定合議機３および自動計量器５、プリンタ６等がケーブル接続されており、上席鑑定合議機２（または次席鑑定合議機３）からの判定結果はデータファイル４−１に格納される。データファイル４−１は契約者番号（売り主の番号）、包番号（連番）、葉分け、タイプおよび自動計量器５からの計量データ等を記憶するもので、その内容は包毎にプリンタ６に送られて印刷出力される。
【０００７】
図２は上席鑑定合議機２のブロック構成図である。
ＣＰＵ２−１は内部記憶装置２−２内のプログラムにしたがってこの上席鑑定合議機２の全体動作を制御する中央演算処理装置である。内部記憶装置２−２はＲＡＭ、キャッシュメモリ、ＲＯＭ等から成り、外部記憶装置２−３から呼び出されたプログラムやデータは内部記憶装置２−２にロードされる。なお、外部記憶装置２−３は磁気的／光学的記憶媒体もしくは半導体メモリで構成され、着脱自在に装着するメモリカードやフロッピーディスク、拡張ボード等であってもよい。また、通信回線を介して他の機器から送信されて来たプログラムやデータを受信して記憶するものであってもよい。
キーボード２−４は葉分け、タイプ等の鑑定結果を入力する入力キーや契約者番号を入力するテンキー、訂正キー等を備えたもので、ＣＰＵ２−１はキーボード２−４から入力された鑑定結果をキー入力制御部２−５を介して取り込み、表示制御部２−６に与え、表示部２−７に表示出力させる。また、ＣＰＵ２−１は次席鑑定合議機３から転送制御部２−８を介して転送されて来た次席の鑑定結果を取り込み、上席、次席の鑑定結果が一致するかを判定し、不一致を検出すると、ブザー２−９を駆動させてエラー報知を行うが、一致を検出すると、この判定結果を内部記憶装置２−２内の判定結果メモリ２−１０に格納する。
【０００８】
判定結果メモリ２−１０は契約者番号、包番号、葉分け、タイプを記憶するもので、２０包分のデータを記憶可能な構成となっている。ここで、判定結果メモリ２−１０内の判定結果（葉分け、タイプ）を訂正する場合、その種類として直前訂正と遡り訂正がある。直前訂正は訂正キーを２回続けて操作することによって実行されるもので、１つ前の包に対する判定結果のみを訂正する場合に行われる。遡り訂正は「訂正キー、包番号の入力指定、訂正キー」の操作手順にしたがったキー入力によって実行されるもので、指定された包番号に対応する判定結果のみならず、以降に続く各包番号に対応する判定結果も含めて一括訂正する場合に行われる。この判定結果メモリ２−１０の内容は通常、後入れ先出し方式にしたがって５包分のデータが表示出力される。図４（１）は訂正キーが操作されない通常時の入力画面例を示している。表示域Ｈａには次の包番号が表示され、表示域Ｈｂには今回キー入力した自己の鑑定結果が表示され、表示域Ｈｃには予めキー入力された現在の契約者を示す番号が表示され、更に表示域Ｈｄには合議判定された５包前までの判定結果が包番号に対応付けて表示される。
【０００９】
なお、上席鑑定合議機２は葉分け、タイプ等の鑑定結果をキー入力して次席鑑定合議機３に転送するキー入力装置として単に機能するものであってもよいが、次席鑑定合議機３と同様の機能を有する構成とすれば、上席の権限である契約者番号の入力や訂正指示あるいは合議判定等を上席に代わって遂行することができると共に、上席、次席の鑑定官はどの席に座るかを任意に選ぶことができる。
【００１０】
次に、図３に示すフローチャートを参照して上席鑑定合議機２の動作を説明する。なお、このフローチャートに記述されている各機能を実現するためのプログラムは、ＣＰＵ２−１が読み取り可能なプログラムコードの形態で、内部記憶装置２−２に固定的に記憶されているか、外部記憶装置２−３から内部記憶装置２−２にロードされている。
先ず、入力待ち状態において（ステップＳ１）入力が有ると、訂正キーが操作されたかをチェックするが（ステップＳ２）、訂正キーが操作されなければ、入力されたデータの種類を判別する（ステップＳ１２、Ｓ１９、Ｓ３６）。すなわち、遡り訂正時において包番号が入力指定されるが、ステップＳ１２は包番号の入力有無をチェックし、また、ステップＳ１３は上席および次席の鑑定結果が入力されたかをチェックし、更にステップＳ３６は契約者番号が入力されたかをチェックする。ここで、それ以外のキー入力であれば、ステップＳ３７に進み、そのキー入力に応じた処理が行われるが、いま、訂正キーが操作されない通常時において、契約者番号がキー入力されると、ステップＳ３６でそのことが検出されてステップＳ３８に進み、訂正フラグがオンされているかをチェックする。ここで、訂正フラグは訂正キーが操作された際にオンされるもので、この場合、訂正フラグはオフされているので、ＣＰＵ２−１は入力された契約者番号を判定結果メモリ２−１０にセットすると共に、包番号の初期値として「１」をセットする（ステップＳ３９）。
【００１１】
このように契約者番号をセットしたのち、この契約者に対する各包がベルトコンベヤ１によって順次搬送されて来ると、上席および次席の鑑定官は、その包を鑑定し、葉分け、タイプ等の鑑定結果をキー入力する。ここで、上席および次席の鑑定結果がそれぞれ入力されると、ステップＳ１９でそのことが検出されてステップＳ２０に進み、訂正フラグがオンされているかをチェックする。いま、訂正フラグはオフされているので、上席、次席の鑑定結果に基づいて合議判定を行い、両者が不一致ならば、ブザー２−９や表示メッセージによって不一致報知を行うが（ステップＳ２２）、一致していれば、合議判定された判定結果をホストコンピュータ４に転送すると共に（ステップＳ２３）、自己の判定結果メモリ２−１０に格納する（ステップＳ２４）。そして、判定結果メモリ２−１０のポインタをプラス「１」すると共に、表示域Ｈｄの内容を１行分スクロールアップさせる（ステップＳ２５）。そして包番号をプラス「１」して表示域Ｈａに表示出力させる（ステップＳ２６）。このように通常時においては、上述の動作が繰り返される。
【００１２】
次に、合議判定された判定結果を訂正する際の動作を説明する。図４は直前訂正を行う場合のキー操作手順と表示画面例を示したもので、１回目の訂正キーの押下で図４（１）に示す通常画面から図４（２）に示す訂正画面に切り替えられる。
すなわち、訂正キーが操作されると（ステップＳ２）、訂正フラグはオンされているかをチェックするが（ステップＳ３）、訂正キーの１回目の操作では訂正フラグはオフされているので、ステップＳ４に進み、訂正フラグをオンすると共に、通常画面から訂正画面に切り替える。この場合、表示域Ｈａ内の包番号が消去されると共に、訂正モードに入ったことを示すガイダンス表示が行われる（図４（２）参照）。ここで、更に続けて訂正キーが押下されると、この場合、訂正フラグはオンされているので、ステップＳ５に進み、現在の包番号を退避記憶させておく。この場合、現在の包番号として図４（１）に示すように「２２」が退避される。そして、２回目の訂正キーを押下する前に包番号が入力指定されたかによって遡り訂正が指定されたか直前訂正が指定されたかをチェックするが（ステップＳ６）、いま、直前訂正が指定された場合であるので、ステップＳ７に進み、表示域Ｈｄ内の５包分のデータのうち、直前のデータを訂正候補として各候補データに＊マークを付加すると共に、候補データを反転表示する（図４（３）参照）。この場合、直前の包番号が表示域Ｈａに再表示される。
【００１３】
この状態において、直前の包に対して再鑑定が行われ、上席、次席から鑑定結果を入力する（ステップＳ１９）。この場合、訂正フラグはオンされているので、ステップＳ２０でそのことが検出されてステップＳ２７に進み、両者は一致するかを合議判定し、不一致ならばその旨が報知されるが（ステップＳ２８）、一致すれば、訂正処理が行われる（ステップＳ２９）。すなわち、包番号「２１」で示される判定結果メモリ２−１０の内容は今回再合議された新たな判定結果に置き換られる（図４（４）参照）。そして、訂正後の内容はホストコンピュータ４に転送される（ステップＳ３０）。次に、判定結果メモリ２−１０のポインタをプラス「１」し（ステップＳ３１）、その包番号はステップＳ５で退避した現在の包番号と一致するかをチェックする（ステップＳ３２）。ここで、直前訂正の場合には一致が検出されるので、ステップＳ３３に進み、訂正フラグがオフされる。
【００１４】
次に、遡り訂正について説明する。図５および図６は遡り訂正時のキー操作手順と表示画面例を示している。ここで、１回目の訂正キーの押下で、図５（１）に示す通常画面から図５（２）に示す訂正画面に切り替えられる（ステップＳ２、Ｓ３、Ｓ４）。次に、遡り訂正の場合には包番号を入力する。すなわち、遡って訂正すべき最初の包番号をテンキーによって直接入力する（ステップＳ１２）。すると、訂正フラグがオンされていること（ステップＳ１３）、２０包前以下であること（ステップＳ１４）、前契約者でないこと（ステップＳ１５）を条件とする入力チェックが行われ、何れかの条件を満足していなければ入力エラーとして処理されるが（ステップＳ１６）、全ての条件を満す場合には指定された包番号を一時記憶すると共に（ステップＳ１７）、表示域Ｈｄに表示出力させる（ステップＳ１８）。図５（３）はこの場合の表示例を示し、包番号として現在の包番号「２２」よりも４包前の「１８」が指定された場合である。
【００１５】
そして、訂正キーの２回目の押下ではステップＳ２、Ｓ３、Ｓ５、Ｓ６に進むが、この場合、指定包番号は記憶保持されているので、遡り訂正が指示されたことが検出される。すると、ステップＳ８に進み、包番号の入力チェックが行われ、合議判定前の包番号が間違って入力された場合にはエラー表示が行われるが（ステップＳ９）、合議判定後の包番号であれば、指定包番号に対応する位置へ判定結果メモリ２−１０のポインタを移動させる（ステップＳ１０）。そして、指定包番号以降のデータを訂正候補として反転表示すると共に、＊マークを付加する（ステップＳ１１）。このとき、指定包番号が表示域Ｈｄに表示されていない場合、つまり、６包以上前の包番号が指定された場合には、その指定包番号が先頭行となるように判定結果メモリ２−１０の内容を再表示させる。つまり、図７はこの場合の表示例を示し、現在の包番号「２２」に対して７包前の包番号「１５」が指定された場合には、通常画面の表示域Ｈｄには図７（１）に示すように訂正対象が表示されていないので、図７（２）に示す訂正画面では、指定包番号「１５」が先頭行となるように判定結果メモリ２−１０の内容が再表示される。図５（４）はこの場合の表示例を示し、包番号「１８」以下の各データが訂正候補であることが明示される。
【００１６】
次に、指定包番号で示される包に対して再鑑定が行われ、上席、次席の鑑定結果が再入力されると、ステップＳ１９、Ｓ２０、Ｓ２７に進み、上席、次席の鑑定結果が一致したことを条件にステップＳ２９〜Ｓ３２が実行される。この場合、指定包番号「１８」に対応するデータが、再合議された判定結果に訂正されると共に、判定結果メモリ２−１０内の次の包番号「１９」は退避されている現在の包番号「２２」と一致しないので、ステップＳ３２でそのことが検出されてステップＳ３４に進み、表示域Ｈｄの内容を１行分スクロールアップすると共に、今回の訂正データを最下行に挿入表示する（ステップＳ３４）。そして、判定結果メモリ２−１０のポインタで示される包番号、この場合、「１９」を表示域Ｈａに表示出力させる（ステップＳ３５）。図６（１）、（２）はこの場合の表示例を示し、指定包番号「１８」で示されるデータはその葉分けが「合葉」から「上葉」に訂正されたことが明示されると共に、次の訂正対象である包の番号として「１９」が明示される。以下、同様の動作は、包番号「１９」、「２０」、「２１」で示されるデータに対してそれぞれ実行される。すなわち、以降、鑑定結果が再入力される毎に、包番号は「１９」から「２０」、「２１」に順次更新されると共に、更新された包番号に対応する判定結果が再入力された鑑定結果に基づいて順次訂正される。図６（３）は包番号「２１」に対応するデータを訂正した際の表示状態を示している。
【００１７】
次に、契約者番号を変更する場合について説明する。上席の鑑定官は売り主が変更になった場合には、上述のようにして契約者番号を入力して判定結果メモリ２−１０にセットするが、売り主を変更せずに次の売り主に対しても前の契約者番号のまま鑑定を行うことがある。このような場合でも、途中で契約者番号を変更することができる。すなわち、訂正キーを操作して訂正フラグをオンさせたのち、売り主が変更になった包を指定するためにその包番号を入力すると、ステップＳ１２〜Ｓ１８の処理が行われる。この場合においても２０包前以下であり、かつ前の契約者番号まで遡らないことが入力条件となる。そして、変更すべき契約者番号を入力すると、ステップＳ３６、Ｓ３８を介してステップＳ４０に進み、指定包番号は記憶保持されているかをチェックする。いま、ステップＳ１７で指定包番号は記憶保持されているので、ステップＳ４１に進み、指定包番号以降のデータを判定結果メモリ２−１０から全て消去する。そして、今回入力された契約者番号を判定結果メモリ２−１０にセットすると共に、包番号を初期化したのち（ステップＳ４２）、訂正フラグをオフする（ステップＳ３３）。このように契約者番号を途中で変更した場合には、変更した以降のデータを全てキャンセルし、再鑑定を行うようにしている。
【００１８】
以上のように構成された上席鑑定合議機２においては直前訂正のみならず、遡り訂正を行うことができるので、例えば、いずれかの鑑定官が１包分の鑑定を忘れたり、同じ包を重複して鑑定したまま以降に続く各包の鑑定を進めることで上席、次席の間で鑑定結果に“ズレ”が生じた場合に、遡り訂正を例えば、任意に指定した包のみならず、それ以降に続く各包についても、間違って合議判定された結果を訂正することが可能となる。また、立合人から異議の申立があった場合、申立があった以降の包に対しても鑑定基準が違っている可能性があるが、このような場合でも遡り訂正を行えば、上述と同様に任意に指定した包のみならず、それ以降に続く各包に対する訂正も可能となる。
また、遡り訂正は間違ったデータを訂正するために、その鑑定結果が再入力される毎に、包番号が自動的に更新されてデータ訂正が行われるので、包番号をキー入力等によって１つずつ指定する必要はなく、それだけ、素早いデータ訂正が可能となる。また、遡り訂正する際に任意の包番号が指定されると、その指定番号以降のデータが訂正候補として識別表示されるので、どの包に対して再鑑定を行えばよいかを確認することができ、遡り訂正を正確に行うことが可能となる。
【００１９】
なお、鑑定合議システムとして葉たばこ買入れシステムを例に挙げたが、勿論、これに限らず、その他の農産物あるいは海産物等を鑑定合議するものであってもよい。
また、上席鑑定合議機２、次席鑑定合議機３は鑑定結果を入力する他に合議判定を行う機能を備えたが、上席、次席が使用する端末装置としては単に鑑定結果や訂正指令等を入力するキー入力装置であってもよく、ホストコンピュータ４側で合議判定を行うようにしてもよい。
【００２０】
【発明の効果】
この発明によれば、既に合議判定された各判定結果を複数前に遡ってそれ以降の全て訂正する場合に、複数前の判定結果に対応付けられている連番等の識別データを単に入力指定しておけば、それ以降の識別データを１つずつ入力指定しなくても、以降の全てを訂正することができので、極めて操作性が良く、しかも確実かつ迅速な遡り訂正を実行することが可能となる。
【図面の簡単な説明】
【図１】鑑定合議システムを示したシステム構成図。
【図２】上席鑑定合議機２のブロック構成図。
【図３】上席鑑定合議機２の動作を示したフローチャート。
【図４】直前訂正を行う場合のキー操作手順と表示画面例を示した図。
【図５】遡り訂正時のキー操作手順と表示画面例を示した図。
【図６】図５に続くキー操作手順と表示画面例を示した図。
【図７】遡り訂正時において包番号が指定された際に、現在の包番号よりも６包以上前の番号が指定された場合の表示画面例を示した図。
【符号の説明】
２  上席鑑定合議機
２−１  ＣＰＵ
２−２  内部記憶装置
２−４  キーボード
２−７  表示部
２−８  転送制御部
２−１０  判定結果メモリ
３  次席鑑定合議機
４  ホストコンピュータ
４−１  データファイル
【図１】
0003716050.tif 000002
【図２】
0003716050.tif 000003
【図３】
0003716050.tif 000004
【図４】
0003716050.tif 000005
【図５】
0003716050.tif 000006
【図６】
0003716050.tif 000007
【図７】
0003716050.tif 000008